(57)【要約】  本発明は、ロッド（１）等を備えるマスカラアプリケータに関し、ロッド（１）等は、塗布部分（３）を形成するブラシを支持する１つの端部（２）を備え、前記ロッドは、少なくともブラシの付近に、主軸（Ｘ’−Ｘ）を有し、前記ブラシは、前記主軸の周りに対称に分布する複数の剛毛（５）を備え、前記ブラシの剛毛（５）は、すべて同じ長さであり、実質的にロッド（１）の前記端部（２）に実質的に位置する中心点（６）から、その中心点（６）を頂点とする円錐内の空間のすべての方向に分散するように方向付けられ、その頂角（Ａ）が、約２３０°以上、好ましくは３００°以上である。
2008536593.tif 000002
【特許請求の範囲】
【請求項１】
ワンド（１）等を備えるマスカラアプリケータであって、前記ワンド（１）は、一方に、ブラシを形成するアプリケータ部分（３）を有する第１の端部（２）を備え、もう一方に、前記ワンドの前記第１の端部（２）の反対側の第２の端部に向かって配置される柄を形成する部分（４）を備え、前記ワンド（１）は、少なくとも前記アプリケータ部分（３）の付近に１つの主軸（Ｘ’−Ｘ）を有し、前記ブラシ（３）は、前記主軸（Ｘ’−Ｘ）の周りに対称に分布する複数の剛毛（５）を備えた、マスカラアプリケータにおいて、
前記ブラシ（３）の前記剛毛（５）は、すべて同じ長さで、前記ワンド（１）の前記第１の端部（２）にほぼ位置する中心点（６）から、前記中心点（６）を頂点とする円錐内の空間のすべての方向に実質的に分散するように方向付けられ、その頂角（Ａ）が約２３０°以上、好ましくは３００°以上であることを特徴とするマスカラアプリケータ。
【請求項２】
前記アプリケータ部分（３）の前記剛毛（５）の長さが、約１ミリメートル〜約４．５ミリメートルの間、好ましくは、約２ミリメートル〜約３ミリメートルの間であることを特徴とする請求項１に記載のアプリケータ。
【請求項３】
前記剛毛（５）は、前記ブラシ（３）が前記剛毛（５）の端部にて略球形のキャップ形状を有するように、実質的にすべて同じ長さで、その前記球形部分の領域が、同じ直径を有する球の全領域の約７０％、好ましくは、少なくとも９３％に相当することを特徴とする請求項１又は２に記載のアプリケータ。
【請求項４】
前記略球形のキャップに対応する前記球の直径が、約３ミリメートル〜約１０ミリメートル、好ましくは、約４．５ミリメートル〜約８ミリメートルであることを特徴とする請求項３に記載のアプリケータ。
【請求項５】
前記ワンド（１）は、柄（４）を形成する部分によって閉鎖キャップ（７）の内側に固定され、前記閉鎖キャップ（７）は、ねじ式、クリップ締結、又はその他の手段によって、マスカラを収容する容器を封止することが意図されていることを特徴とする請求項１〜４のいずれか一項に記載のアプリケータ。
【発明の詳細な説明】
【技術分野】
【０００１】
本発明は、マスカラアプリケータを、本質的な主題とする。
【背景技術】
【０００２】
マスカラアプリケータは、一般に、ワンドを備え、ワンドは、一端部がその長さにわたり剛毛を有してブラシを形成するアプリケータ部分によって延長され、また、柄を形成する部分をもう一方の端部に向かって有していることが知られている。
【０００３】
ただし、特に非常にはっきりとした「ボリュームを増す」効果を生み出すために睫毛をその根元から完全に分離させ広げることが望ましいが、一方で、使用者の睫毛のサイズに関わらず、製品の「ダマ」の形成を防止しながら大量のマスカラを睫毛の長さ全体にわたり塗布することが望ましい場合、特にブラシの剛毛の分布及び向きに関して提案されている様々なアプリケータでは、睫毛を満足に化粧することが困難である。
【発明の開示】
【発明が解決しようとする課題】
【０００４】
したがって、本発明の一の目的は、特にこれらの欠点を、ブラシを備えるアプリケータを提供することによって克服することであり、このブラシは、製品の見苦しい塊又は「ダマ」を形成することなく、「ボリューム増大」効果、すなわち、より豊富な睫毛の印象を向上させるために睫毛を分離させると同時に、まつげの長さ全体にわたり、すなわちその根元の目蓋の縁部の高さから睫毛の端部まで、大量のマスカラを付けることを可能にする。
【課題を解決するための手段】
【０００５】
この目的のために、本発明は、ワンド等を備えるマスカラアプリケータを主題とし、ワンド等は、一方に、ブラシを形成するアプリケータ部分を有する第１の端部を備え、もう一方に、前記ワンドの第１の端部の反対側の第２の端部に向かって配置される柄を形成する部分を備え、前記ワンドは、少なくともアプリケータ部分の付近に１つの主軸を有し、前記ブラシは、前記主軸の周りに対称に分布する複数の剛毛を備え、前記ブラシの剛毛は、すべて同じ長さで、ワンドの前記第１の端部にほぼ位置する中心点から、その中心点を頂点とする円錐内の空間のすべての方向に実質的に分散するように方向付けられ、その頂角が約２３０°以上であり、好ましくは、３００°以上であることを特徴とする。
【０００６】
本発明の好ましい一の実施形態によれば、前記ブラシの剛毛の長さは、約１ミリメートル〜約４．５ミリメートルの間、好ましくは、約２ミリメートル〜約３ミリメートルの間である。
【０００７】
別の好ましい実施形態によれば、剛毛は、ブラシが剛毛の端部にて略球形のキャップ形状を有するように、ほぼすべて同じ長さであり、その球形部分の領域が、同じ直径を有する球の全領域の少なくとも約７０％、好ましくは、少なくとも９３％に相当する。
【０００８】
有利には、本発明のマスカラブラシの前記略球形のキャップに対応する球の直径は、約３ミリメートル〜約１０ミリメートル、好ましくは、約４．５ミリメートル〜約８ミリメートルである。
【０００９】
本発明の別の実施形態によれば、前記ワンドは、柄を形成するその部分によって閉鎖キャップの内側に固定され、前記閉鎖キャップは、ねじ式、クリップ締結、又はその他の手段によって、マスカラを収容する容器又は小瓶を封止することが意図されている。
【００１０】
本発明の別の特徴及び利点は、例示の目的のみに与えられる添付図面に基づく以下の詳細な説明によって、より明解にされるであろう。
【発明を実施するための最良の形態】
【００１１】
図に見られるのは、個人の睫毛にマスカラを塗布することを可能にする、ワンド１等を備えるアプリケータで、ワンド１等は、一方に、ブラシ３を形成するアプリケータ部分を有する第１の端部２を備え、もう一方に、前記ワンドの前記第１の端部２の反対側の第２の端部に向かって配置された柄を形成する部分４を備えている。
【００１２】
図示される例では、ワンド１は直線的である。しかし、本発明の範囲から逸脱することなく、ワンドは、特に柄を形成する部分４にて、湾曲した部分を備え得る。
【００１３】
図から分かるように、ブラシ３は複数の剛毛５を備える。これらの剛毛は、ワンドのほぼ端部２に位置する中心点６から始まり、この中心点６を頂点とする円錐内の空間内のすべての方向に広がるように方向付けられ、その頂角Ａは約２３０°より大きい。したがって、円錐の頂角Ａは、優角であることを理解されたい。図１に示す実施形態では、角度Ａは２６０°を少し超える。図２に示す実施形態では、この角度は３４０°に近い。
【００１４】
さらに、添付の図に示されるブラシの剛毛５は、すべてほぼ同一の長さを有し、そのためそれらの端部にて、ブラシ３は略球形のキャップ形状を有する。図１の例では、前記キャップの球形部分の領域は、対応する球形の全領域の８０％強に相当する。図２に示す例では、ブラシ３の形状は、ほぼ完全な球形である。
【００１５】
ブラシの剛毛の取付けは、よく知られた技術によって行われることに留意されたい。たとえば、剛毛を、図示しない針金の１つ又は複数の輪の内側に取り付けることができる。
【００１６】
剛毛５を形成する繊維の性質は、天然又は合成であり、様々なタイプのマスカラブラシにおいて一般的に使用されるものと一致する。ただし、本発明を実行するために、好ましくは、十分な剛性を有する剛毛が使用される。
【００１７】
ブラシの球面の直径は、睫毛に塗布される製品を正しく充填することを可能にするために、十分大きくなくてはならないが、剛毛５の長さは、所与の母集団の睫毛の平均的な長さと一致しなければならず、且つ、化粧を十分緻密に塗布することを可能にしなければならない。好ましくは、この直径は、約３ミリメートルから約１０ミリメートルの間、より好ましくは約４．５ミリメートルから約８ミリメートルの間でなければならない。剛毛自体の長さは、有利には、約１ミリメートル〜約４．５ミリメートルの間、好ましくは、約２ミリメートル〜約３ミリメートルの間である。
【００１８】
本発明によるマスカラブラシは、液体、ペースト状、またさらには固体粘稠度を有する、いかなるタイプのマスカラ配合物を塗布することもできる。それが「ケーキマスカラ」と呼ばれることが多い固体マスカラである場合、ブラシを使用して、睫毛に塗布するために必要な量の製品を取り出すために、一般に水性液である液体の供給が必要とされる。
【００１９】
液体又はペースト状のマスカラを使用するためには、一般に、アプリケータブラシは、マスカラを収容する容器を好ましくはねじ式に封止することを意図する、閉鎖キャップの内側に取り付けられ、そのため、容器が閉じられるとブラシが製品の内部に配置される。これは、添付の図に当てはまる。
【００２０】
図３において、点線で概略的に示され、液体マスカラ９を収容し、開口部１０を備える容器８内に部分的に差し込まれた、本発明によるマスカラアプリケータを見ることができる。開口部１０付近において、容器８の内側に、余分なマスカラを睫毛に塗布する前に除去するための、図３には図示しない拭取り部材が取り付けられている。アプリケータのワンド１は、柄を形成するその部分４によって、その開口部１２にて容器８を封止することが意図された閉鎖キャップ７の底部１１へと取り付けられている。この図に示す位置において、球形のブラシ３は、液体マスカラ９内に配置されている。
【００２１】
したがって、上記で説明したその構造的特徴により、マスカラアプリケータは、周知のアプリケータに優る多くの利点を有する。
【００２２】
特に、ブラシを形成するアプリケータ部分の剛毛の特定の構成によって、睫毛をそのちょうど根元、すなわち事実上目蓋の縁の高さから、互いに分離させることが容易になり、それらの分離が促進される。したがって睫毛を、その長さ全体にわたりマスカラで被覆することができる。睫毛は事実上、互いに融合しない。本発明によるブラシは、こうして分離されて被覆される睫毛上に、「ボリューム増大」効果を生み出す。睫毛は、より豊富で、より濃く、より多数に見える。
【００２３】
本発明によるアプリケータの別の利点は、マスカラがブラシの剛毛上に、すなわち睫毛上に、より均一に分布されることである。したがって、製品にとって好ましくない「ダマ」の形成が、事実上回避される。
【００２４】
睫毛を化粧するための最高の結果を得るために、本発明によるブラシは、特に睫毛が十分に分離されるように互いに接近し過ぎず、睫毛の最適な被覆を生み出すために離れ過ぎない、剛毛を備えなければならないことに留意されたい。
【００２５】
上記で既に指示したように、本発明によるアプリケータは、いかなるタイプのマスカラとともに使用することもできる。ただし、本発明によるブラシは、塗布時にかなりゆっくりと乾燥する流体配合物のマスカラとともに、最適の効果を生み出す。これによって、必要に応じて、製品のダマの形成をあまり恐れることなく、睫毛上にマスカラを数回通過させることが可能になる。
【００２６】
本発明は、説明した手段と同等のすべての技術またそれらの組合せが添付の特許請求の範囲内に包含される場合、それらを含むことが言明されるべきである。
【図面の簡単な説明】
【００２７】
【図１】本発明によるマスカラアプリケータを示す概略的な部分断面図である。
【図２】図１と同様であるがそのようなアプリケータの変型形態を示す図である。
【図３】マスカラを収容する容器内に部分的に差し込まれた、本発明によるマスカラアプリケータを示す概略側面図である。
【符号の説明】
【００２８】
１    ワンド
２    第１の端部
３    ブラシ
４    部分
５    剛毛
６    中心点
７    閉鎖キャップ
８    容器
９    マスカラ
１０    開口部
１１    底部
１２    開口部
Ａ    頂角
【図１】
2008536593.tif 000003
【図２】
2008536593.tif 000004
【図３】
2008536593.tif 000005
【国際調査報告】
2008536593.tif 000006
2008536593.tif 000007
2008536593.tif 000008
2008536593.tif 000009
2008536593.tif 000010
2008536593.tif 000011